(57)【要約】【課題】成功したファクシミリ送信の相手先情報に対する好適なセキュリティが確保された通信装置を提供する。【解決手段】通信装置は、第１通信部と取得部と記憶制御部と第２通信部と送信制御部を備える。第１通信部は、無線通信によって携帯端末装置と通信する。取得部は、携帯端末装置から、ファクシミリ送信のための相手先情報と、相手先情報に従いファクシミリ送信される送信データを第１通信部を介して取得する。記憶制御部は、取得された相手先情報を、取得された送信データに対応付けて送信履歴記憶部に記憶する。第２通信部は、送信データをファクシミリ送信する。送信制御部は、取得された相手先情報に従い、取得された送信データを第２通信部からファクシミリ送信する制御を行う。記憶制御部は、ファクシミリ送信が成功した場合、送信履歴記憶部から相手先情報を削除し、失敗した場合、送信履歴記憶部から相手先情報を削除しない。【選択図】図４
2014187664.tif 000002
【特許請求の範囲】
【請求項１】
無線通信によって携帯端末装置と通信する第１通信部と、
前記携帯端末装置から、ファクシミリ送信のための相手先情報と、前記相手先情報に従いファクシミリ送信される送信データと、を前記第１通信部を介して取得する取得部と、
前記取得部で取得された前記相手先情報を、前記取得部で取得された前記送信データに対応付けて送信履歴記憶部に記憶し、前記取得部で取得された前記送信データを送信データ記憶部に記憶する記憶制御部と、
前記送信データをファクシミリ送信する第２通信部と、
前記取得部で取得された前記相手先情報に従い、前記取得部で取得された前記送信データを前記第２通信部からファクシミリ送信する制御を行う送信制御部と、を備え、
前記記憶制御部は、
前記送信制御部によるファクシミリ送信が成功した場合、前記送信履歴記憶部から前記相手先情報を削除し、
前記送信制御部によるファクシミリ送信が失敗した場合、前記送信履歴記憶部から前記相手先情報を削除しない、通信装置。
【請求項２】
前記記憶制御部は、
前記送信制御部によるファクシミリ送信が成功した場合、前記送信データ記憶部から前記送信データを削除し、
前記送信制御部によるファクシミリ送信が失敗した場合、前記送信データ記憶部から前記送信データを削除しない、請求項１に記載の通信装置。
【請求項３】
前記記憶制御部は、前記送信制御部によるファクシミリ送信が失敗した場合において、ファクシミリ送信の失敗から予め定めた保存時間が経過した場合、前記送信履歴記憶部から前記相手先情報を削除する、請求項１又は請求項２に記載の通信装置。
【請求項４】
前記記憶制御部は、前記送信制御部によるファクシミリ送信が失敗した場合において、前記保存時間が経過した場合、前記送信データ記憶部から前記送信データを削除する、請求項３に記載の通信装置。
【請求項５】
前記取得部は、前記送信制御部によるファクシミリ送信が失敗した場合、前記携帯端末装置から、失敗したファクシミリ送信の再送信を指示するための再送指示を前記第１通信部を介して取得し、
前記送信制御部は、前記取得部で前記再送指示が取得された場合、前記送信履歴記憶部に記憶された前記相手先情報に従い、前記相手先情報に対応付けられ且つ前記送信データ記憶部に記憶された前記送信データを前記第２通信部からファクシミリ送信する制御を行う、請求項１から請求項４の何れか１項に記載の通信装置。
【請求項６】
前記第１通信部は、
通信範囲が第１範囲である第１無線通信によって前記携帯端末装置と通信する第３通信部と、
通信範囲が前記第１範囲より広い第２範囲である第２無線通信によって前記携帯端末装置と通信する第４通信部と、を含み、
前記取得部は、
前記相手先情報を前記第３通信部を介して取得し、
前記送信データを前記第４通信部を介して取得する、請求項１から請求項５の何れか１項に記載の通信装置。
【発明の詳細な説明】
【技術分野】
【０００１】
本発明は、携帯端末装置と連携してファクシミリ送信を実行する通信装置に関する。
【背景技術】
【０００２】
通信装置に関する技術が提案されている。例えば、特許文献１には、画像処理通信装置が開示されている。画像処理通信装置は、例えば、Ｉｒ通信部と、制御部を含む。Ｉｒ通信部は、携帯端末からデータを受信し、受信したデータをＲＡＭに記憶し、データを受信した旨を制御部に知らせる。制御部は、受信したデータの種類を判別する。受信したデータの中に電話帳データがあり、電話帳データのみでないと、受信したデータのうち電話帳データ以外のデータを電話帳データの送信先に送信する。制御部は、電話帳データのみであると、電話帳データをフラッシュメモリに書き込み保存する。制御部は、受信したデータの中に電話帳データがないと、ユーザによって選択された処理を行う。
【０００３】
特許文献２には、情報処理システムが開示されている。情報処理システムは、携帯端末装置と、情報処理装置を備える。携帯端末装置は、第２の通信手段と第４の通信手段とによる通信を確立するために通信設定情報および設定情報を、第１の通信手段を介して情報処理装置に送信する。設定情報は、第２の通信手段によって受信または送信する実体情報に対する処理を示す。携帯端末装置は、実体情報を第２の通信手段を介した非接触通信で情報処理装置に送信または情報処理装置から受信する。携帯端末装置は、設定情報の送信指示の入力を受け付け、情報処理装置との間でいずれの通信が可能か否かを判定する。情報処理装置は、第３の通信手段を介して通信設定情報および設定情報を携帯端末装置から受信または携帯端末装置に送信し、設定情報に応じた設定で実体情報を処理する。
【先行技術文献】
【特許文献】
【０００４】
【特許文献１】特開２００７−３１２１４２号公報
【特許文献２】特開２００９−１４７８９６号公報
【発明の概要】
【発明が解決しようとする課題】
【０００５】
公共の場所に、ファクシミリ機能を有する通信装置が設置されることがある。公共の場所に設置された通信装置は、不特定多数の利用者に利用される。従って、既に実行され成功したファクシミリ送信のための相手先情報が他人に取得又は利用されることがないようにする必要があり、相手先情報に対するセキュリティを確保することが求められる場合もある。また、不特定多数の利用者が、スムーズに操作でき、好適に利用できることが求められる場合もある。
【０００６】
本発明は、成功したファクシミリ送信の相手先情報に対する好適なセキュリティが確保された通信装置を提供することを目的とする。
【課題を解決するための手段】
【０００７】
本発明の一側面は、無線通信によって携帯端末装置と通信する第１通信部と、前記携帯端末装置から、ファクシミリ送信のための相手先情報と、前記相手先情報に従いファクシミリ送信される送信データと、を前記第１通信部を介して取得する取得部と、前記取得部で取得された前記相手先情報を、前記取得部で取得された前記送信データに対応付けて送信履歴記憶部に記憶し、前記取得部で取得された前記送信データを送信データ記憶部に記憶する記憶制御部と、前記送信データをファクシミリ送信する第２通信部と、前記取得部で取得された前記相手先情報に従い、前記取得部で取得された前記送信データを前記第２通信部からファクシミリ送信する制御を行う送信制御部と、を備え、前記記憶制御部は、前記送信制御部によるファクシミリ送信が成功した場合、前記送信履歴記憶部から前記相手先情報を削除し、前記送信制御部によるファクシミリ送信が失敗した場合、前記送信履歴記憶部から前記相手先情報を削除しない、通信装置である。
【０００８】
これによれば、ファクシミリ送信が成功した場合、送信履歴記憶部から相手先情報を削除することができる。成功したファクシミリ送信の相手先情報が他人に取得又は利用されることを防止することができる。ファクシミリ送信が失敗した場合、送信履歴記憶部から削除されずそのまま記憶された状態の相手先情報は、失敗したファクシミリ送信の再送信に利用することもできる。
【０００９】
前記記憶制御部は、前記送信制御部によるファクシミリ送信が成功した場合、前記送信データ記憶部から前記送信データを削除し、前記送信制御部によるファクシミリ送信が失敗した場合、前記送信データ記憶部から前記送信データを削除しないこととしてもよい。これによれば、ファクシミリ送信が成功した場合、送信データ記憶部から送信データを削除することができる。成功したファクシミリ送信の送信データが他人に取得又は利用されることを防止することができる。ファクシミリ送信が失敗した場合、送信データ記憶部から削除されずそのまま記憶された状態の送信データは、失敗したファクシミリ送信の再送信に利用することもできる。
【００１０】
前記記憶制御部は、前記送信制御部によるファクシミリ送信が失敗した場合において、ファクシミリ送信の失敗から予め定めた保存時間が経過した場合、前記送信履歴記憶部から前記相手先情報を削除してもよい。これによれば、ファクシミリ送信が失敗した場合であっても、予め定めた保存時間が経過したタイミングで、送信履歴記憶部から相手先情報を削除することができる。
【００１１】
前記記憶制御部は、前記送信制御部によるファクシミリ送信が失敗した場合において、前記保存時間が経過した場合、前記送信データ記憶部から前記送信データを削除してもよい。これによれば、ファクシミリ送信が失敗した場合であっても、予め定めた保存時間が経過したタイミングで、送信データ記憶部から送信データを削除することができる。
【００１２】
前記取得部は、前記送信制御部によるファクシミリ送信が失敗した場合、前記携帯端末装置から、失敗したファクシミリ送信の再送信を指示するための再送指示を前記第１通信部を介して取得し、前記送信制御部は、前記取得部で前記再送指示が取得された場合、前記送信履歴記憶部に記憶された前記相手先情報に従い、前記相手先情報に対応付けられ且つ前記送信データ記憶部に記憶された前記送信データを前記第２通信部からファクシミリ送信する制御を行ってもよい。これによれば、再送信のための操作を携帯端末装置と連携してスムーズに行うことができる。好適な操作性が実現された通信装置とすることができる。
【００１３】
前記第１通信部は、通信範囲が第１範囲である第１無線通信によって前記携帯端末装置と通信する第３通信部と、通信範囲が前記第１範囲より広い第２範囲である第２無線通信によって前記携帯端末装置と通信する第４通信部と、を含み、前記取得部は、前記相手先情報を前記第３通信部を介して取得し、前記送信データを前記第４通信部を介して取得してもよい。これによれば、携帯端末装置と通信装置の間で、相手先情報の送受信を第１無線通信によって実行し、送信データの送受信を、通信範囲の広い第２無線通信によって実行することができる。例えば、データ量の大小に応じた好適な無線通信の方式により携帯端末装置と通信することも可能となる。
【発明の効果】
【００１４】
本発明によれば、成功したファクシミリ送信の相手先情報に対する好適なセキュリティが確保された通信装置を得ることができる。
【図面の簡単な説明】
【００１５】
【図１】通信装置と携帯端末装置と相手先装置を含む通信システムの一例を示す図である。
【図２】送信履歴用メモリの一例を示す図である。（Ａ）〜（Ｄ）は、送信履歴用メモリへの各情報の書き込みの各状態を示す。
【図３】（Ａ）は、通信管理用メモリの一例を示す図である。（Ｂ）は、送信データ用メモリの一例を示す図である。
【図４】通信装置処理の第１部分を示すフローチャートである。
【図５】通信装置処理の第２部分を示すフローチャートである。
【図６】携帯端末処理のフローチャートである。
【図７】携帯端末装置で表示される送信操作画面を示す図である。（Ａ）は、「再送」ボタンが押下できない状態を示す。（Ｂ）は、「再送」ボタンが押下できる状態を示す。
【発明を実施するための形態】
【００１６】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１７】
＜通信システム＞
通信システム１０の概略について、図１を参照して説明する。通信システム１０は、通信装置２０と、携帯端末装置５０と、相手先装置８０を含む。通信装置２０は、例えば、ファクシミリ機能と、スキャン機能と、コピー機能を備えた複合機である。通信装置２０は、公衆回線１２に接続される。公衆回線１２は、所定の通信事業者によって構築された、光回線及び／又はＰＳＴＮ（Public Switched Telephone Networks）である。また、公衆回線１２は、携帯電話機のための回線（例えば、３Ｇ回線及び／又はＬＴＥ（Long Term Evolution））を含む。本実施形態における公衆回線１２は、特定の通信回線を意味するものではなく、各通信事業者と契約した利用者によって利用される各種の通信回線を総称するものである。通信装置２０は、公共の場所に設置され、不特定多数の者に利用される場合もある。
【００１８】
携帯端末装置５０は、スマートフォンである。スマートフォンは、コンピュータ機能を有する携帯電話機である。携帯端末装置５０は、公衆回線１２を介した通信の他、所定の無線通信によって通信装置２０と通信することができる。所定の無線通信の第１方式は、例えば、近距離無線通信（Near Field Communication  以下、「ＮＦＣ」という）である。所定の無線通信の第２方式は、例えば、無線ＬＡＮ通信又はＢｌｕｅｔｏｏｔｈ（登録商標）である。第２方式の無線通信は、第１方式の無線通信より通信範囲が広い無線通信である。本実施形態では、通信装置２０と携帯端末装置５０の間で利用される無線通信として、ＮＦＣ（第１方式）と、無線ＬＡＮ通信（第２方式）を例に説明する。
【００１９】
相手先装置８０は、ファクシミリ機能を備える公知の通信装置、又は、通信装置２０と同じ通信装置である。相手先装置８０は、公衆回線１２に接続され、通信装置２０の通信相手となる。図１では、１台の相手先装置８０が図示されているが、公衆回線１２には、複数の相手先装置８０が接続されている。相手先装置８０に関するこの他の説明は省略する。
【００２０】
＜通信装置＞
通信装置２０について、図１〜図３を参照して説明する。通信装置２０は、ＣＰＵ２２と、ＲＯＭ２４と、ＲＡＭ２６と、印刷部２８と、読取部３０と、表示部３２と、操作部３４と、回線通信部３６と、近距離通信部３８と、無線ＬＡＮ通信部４０と、計時部４２を備える。これら各部２２〜４２は、バス４４に接続される。
【００２１】
ＣＰＵ２２は、演算処理を実行する。ＲＯＭ２４は、フラッシュメモリによって構成される。ＲＯＭ２４は、通信装置２０で実行される各種処理のためのコンピュータプログラムを記憶する記憶領域を含む。ＲＯＭ２４に記憶されたコンピュータプログラムには、例えば、後述する通信装置処理（図４及び図５参照）のためのコンピュータプログラムが含まれる。ＲＯＭ２４は、送信履歴用メモリのための記憶領域と、通信管理用メモリのための記憶領域を含む。
【００２２】
送信履歴用メモリには、図２に示すように、通信番号（通信Ｎｏ．）と、端末ＩＤと、相手先情報と、送信データ保存場所と、通信結果が対応付けて記憶される。通信番号は、送信履歴用メモリの各レコードを識別するための識別番号（通し番号）である。端末ＩＤは、携帯端末装置５０を識別するための識別情報である。携帯端末装置５０は、自装置固有の端末ＩＤを有する。相手先情報は、相手先装置８０のＦＡＸ番号である。送信データ保存場所は、送信データの保存場所を表す情報（番地）である。送信データは、相手先装置８０にファクシミリ送信されるファクシミリデータである。通信装置２０は、携帯端末装置５０から送信データを取得する。この点については、後述する。送信結果は、送信データのファクシミリ送信の成功（ＯＫ）又は失敗（ＮＧ）を表す情報である。送信履歴用メモリに対応付けて記憶された各情報は、ファクシミリ送信が失敗した場合の再送信に利用される。
【００２３】
通信管理用メモリには、図３（Ａ）に示すように、通信番号（通信Ｎｏ．）と、端末ＩＤと、相手先情報と、通信結果が対応付けて記憶される。通信番号は、通信管理用メモリの各レコードを識別するための識別番号（通し番号）である。その他の各情報は、上述した通りである。通信管理用メモリに記憶された各情報は、例えば、通信装置２０の管理者が通信装置２０の利用状況等を管理するために用いられる。通信装置２０の一般的な利用者は、通信管理用メモリに記憶された各情報を利用することができない。
【００２４】
ＲＡＭ２６は、ＣＰＵ２２が各種のコンピュータプログラムを実行する際に利用される記憶領域となる。ＲＡＭ２６には、各種の処理の実行途中に、処理で利用される所定のデータ（情報）が記憶される。例えば、送信データを記憶するための記憶領域として送信データ用メモリがＲＡＭ２６に確保される。送信データは、送信データ用メモリ内の所定の番地に保存され記憶される（図３（Ｂ）参照）。図３（Ｂ）は、送信データ用メモリ内の「番地１」に「通信Ｎｏ．１用データ」が記憶され、他の番地（空白とされている「番地欄」参照）には送信データが記憶されておらず、空き領域となっている状態を示す。ＣＰＵ２２は、ＲＯＭ２４に記憶された各種のコンピュータプログラムを実行する等して、通信装置２０を制御する。これによって、通信装置２０では、各種の処理が実行され、各種の機能が実現される。
【００２５】
印刷部２８は、通信装置２０で受信されたファクシミリデータに対応する画像を、記録用紙に印刷する。読取部３０は、原稿を読み取る。表示部３２は、諸情報を表示する。表示部３２は、例えば、液晶ディスプレイにより構成される。操作部３４は、通信装置２０に所定の情報又は指示等を入力する際に操作される。操作部３４は、複数のキーを含む。操作部３４に含まれるキーとしては、テンキーが例示される。操作部３４にタッチパッドを設け、タッチパッドと表示部３２を組み合わせてタッチパネル機能を実現するようにしてもよい。この場合、操作部３４の一部は、タッチパネル機能を利用した構成となる。回線通信部３６は、公衆回線１２に接続され、公衆回線１２を介した通信を実行する。
【００２６】
近距離通信部３８は、ＮＦＣを実行する。無線ＬＡＮ通信部４０は、無線ＬＡＮ通信を実行する。ＮＦＣと無線ＬＡＮ通信を切り替えながら通信装置２０と携帯端末装置５０が無線通信する通信技術は、Ｗｉ−Ｆｉハンドオーバーと称される。第２方式の無線通信として、Ｂｌｕｅｔｏｏｔｈが用いられる場合、ＮＦＣとＢｌｕｅｔｏｏｔｈを切り替えながら通信装置２０と携帯端末装置５０が無線通信する通信技術は、Ｂｌｕｅｔｏｏｔｈハンドオーバーと称される。計時部４２は、時間経過を計測する。
【００２７】
＜携帯端末装置＞
携帯端末装置５０について、図１を参照して説明する。携帯端末装置５０は、ＣＰＵ５２と、ＲＯＭ５４と、ＲＡＭ５６と、表示部５８と、操作部６０と、カメラ部６２と、近距離通信部６４と、無線ＬＡＮ通信部６６と、回線通信部６８と、計時部７０を備える。これら各部５２〜７０は、バス７２に接続される。
【００２８】
ＣＰＵ５２は、演算処理を実行する。ＲＯＭ５４は、フラッシュメモリによって構成される。ＲＯＭ５４は、携帯端末装置５０で実行される各種処理のためのコンピュータプログラムを記憶する記憶領域を含む。ＲＯＭ５４に記憶されたコンピュータプログラムには、後述する携帯端末処理（図６参照）のためのコンピュータプログラムが含まれる。携帯端末処理のためのコンピュータプログラムは、例えば、インターネット上の所定のサーバからダウンロードされる等して、ＲＯＭ５４にインストールされる。ＲＯＭ５４は、各種のデータを記憶する記憶領域を含む。各種のデータには、携帯端末装置５０の端末ＩＤと、相手先装置８０の相手先情報と、送信データが含まれる。送信データとしては、文書データ及び写真データが例示される。文書データは、所定のアプリケーションプログラムによって作成等される。携帯端末装置５０とは異なる情報処理装置で作成された文書データが、ＲＯＭ５４に記憶される場合もある。
【００２９】
ＲＡＭ５６は、ＣＰＵ５２が各種のコンピュータプログラムを実行する際に利用される記憶領域となる。ＲＡＭ５６には、各種の処理の実行途中に、処理で利用される所定のデータ（情報）が記憶される。ＣＰＵ５２は、ＲＯＭ５４に記憶された各種のコンピュータプログラムを実行する等して、携帯端末装置５０を制御する。これによって、携帯端末装置５０では、各種の処理が実行され、各種の機能が実現される。
【００３０】
表示部５８は、諸情報を表示する。表示部５８は、例えば、液晶ディスプレイにより構成される。操作部６０は、携帯端末装置５０に所定の情報又は指示等を入力する際に操作される。操作部６０は、所定のキーと、タッチパッドを含む。操作部６０の一部は、タッチパッドと表示部５８を組み合わせたタッチパネル機能により構成される。カメラ部６２は、外界像を撮像する。撮像された外界像に対応した写真データは、例えば、ＲＯＭ５４に記憶される。近距離通信部６４は、ＮＦＣを実行する。無線ＬＡＮ通信部６６は、無線ＬＡＮ通信を実行する。通信装置２０と携帯端末装置５０の間のＮＦＣは、近距離通信部３８及び近距離通信部６４を介して行われる。通信装置２０と携帯端末装置５０の間の無線ＬＡＮ通信は、無線ＬＡＮ通信部４０及び無線ＬＡＮ通信部６６を介して行われる。回線通信部６８は、公衆回線１２を介した通信を実行する。計時部７０は、時間経過を計測する。
【００３１】
＜通信装置処理＞
通信装置２０で実行される通信装置処理について、図４及び図５を参照して説明する。通信装置処理は、例えば、通信装置２０の電源がオンされた場合に開始される。通信装置処理を開始したＣＰＵ２２は、ＮＦＣの接続要求を取得したか否かを判断する（Ｓ１００）。接続要求は、通信装置２０と携帯端末装置５０の間のＮＦＣの確立に際し（図６のＳ２００参照）、携帯端末装置５０から送信され、近距離通信部３８で受信される。ＣＰＵ２２は、近距離通信部３８を介して接続要求を取得する。接続要求を取得していない場合（Ｓ１００：Ｎｏ）、ＣＰＵ２２は、接続要求が取得されるまで、Ｓ１００を繰り返して実行する。接続要求を取得した場合（Ｓ１００：Ｙｅｓ）、ＣＰＵ２２は、ＮＦＣにおけるペアリングを実行し、要求元の携帯端末装置５０との間でＮＦＣを確立する。
【００３２】
ＣＰＵ２２は、携帯端末装置５０の端末ＩＤと、ファクシミリ送信の宛先となる相手先装置８０の相手先情報を取得する（Ｓ１０２）。端末ＩＤと相手先情報は、携帯端末装置５０からＮＦＣによって送信され（図６のＳ２０２参照）、近距離通信部３８で受信される。ＣＰＵ２２は、近距離通信部３８を介して端末ＩＤと相手先情報を取得する。ＣＰＵ２２は、取得された端末ＩＤと相手先情報を対応付けて送信履歴用メモリに書き込む（Ｓ１０４）。送信履歴用メモリには、取得された端末ＩＤと相手先情報が所定の通信番号（例えば、書き込みのタイミングにおいて最小の番号）に対応付けて記憶される。具体的に、送信履歴用メモリに何れの情報も記憶されておらず、Ｓ１０２で取得された端末ＩＤが「ＩＤ１」で、相手先情報が「０５２−１１１−２２２２」であった場合、ＣＰＵ２２は、通信番号「１」に対応付けて「ＩＤ１」と「０５２−１１１−２２２２」を送信履歴用メモリに書き込む（図２（Ａ）参照）。
【００３３】
次に、ＣＰＵ２２は、送信データを取得する（Ｓ１０６）。送信データは、ＮＦＣが確立された携帯端末装置５０から無線ＬＡＮ通信によって送信され（図６のＳ２０６参照）、無線ＬＡＮ通信部４０で受信される。ＮＦＣから無線ＬＡＮ通信へとする無線通信の方式の変更は、上述したＷｉ−Ｆｉハンドオーバーに従い行われる。ＣＰＵ２２は、無線ＬＡＮ通信部４０を介して送信データを取得する。ＣＰＵ２２は、取得された送信データを送信データ用メモリに保存する（Ｓ１０８）。これによって、送信データが送信データ用メモリの所定の番地に記憶される。ＣＰＵ２２は、Ｓ１０４での書き込みに対応した通信番号（以下、「処理対象の通信番号」という）に対応付けて送信データの保存場所を表す番地を送信履歴用メモリに書き込む。これによって、送信履歴用メモリは、通信番号と、端末ＩＤと、相手先情報と、送信データ保存場所が対応付けて記憶された状態となる。例えば、処理対象の通信番号が「１」（図２（Ａ）参照）で、Ｓ１０６で取得された送信データが「通信Ｎｏ．１用データ」であったとする。ＣＰＵ２２は、Ｓ１０８で、「通信Ｎｏ．１用データ」を送信データ用メモリの「番地１」に保存する（図３（Ｂ）参照）。そして、ＣＰＵ２２は、処理対象の通信番号「１」に対応付けて送信データ保存場所「番地１」を送信履歴用メモリに書き込む（図２（Ｂ）参照）。
【００３４】
ＣＰＵ２２は、Ｓ１０２で取得されＳ１０４で記憶された相手先情報と、Ｓ１０８で送信データ用メモリに記憶された送信データを対象としたファクシミリ送信の制御を開始する（Ｓ１１０）。この制御によって、回線通信部３６から相手先情報に対応した相手先装置８０への送信データのファクシミリ送信が開始される。送信データは、ファクシミリ送信のための通信規格に従った形式に符号化される。ＣＰＵ２２は、Ｓ１１０で開始されたファクシミリ送信が成功したか否かを判断する（Ｓ１１２）。通信装置２０がリダイヤル機能を備えているとする。リダイヤル機能は、相手先装置８０が通信装置２０とは別の通信装置と通信中であった場合等に対応した機能であり、所定間隔で所定回数、相手先装置８０へのファクシミリ送信を繰り返して実行する機能である。リダイヤル機能は、ファクシミリ機能を備える公知の通信装置も備える機能であるため、これに関するこの他の説明は省略する。リダイヤル機能を備える通信装置２０では、何れかのタイミングで、送信データを相手先装置８０にファクシミリ送信できた場合、ファクシミリ送信は成功したと判断（Ｓ１１２：Ｙｅｓ）される。一方、所定回数繰り返しても、送信データを相手先装置８０にファクシミリ送信できない場合、ファクシミリ送信は失敗したと判断（Ｓ１１２：Ｎｏ）される。
【００３５】
ファクシミリ送信が成功した場合（Ｓ１１２：Ｙｅｓ）、ＣＰＵ２２は、処理対象の通信番号に対応付けて送信結果「ＯＫ」を送信履歴用メモリに書き込む（Ｓ１１４）。これによって、送信履歴用メモリは、通信番号と、端末ＩＤと、相手先情報と、送信データ保存場所と、送信結果が対応付けて記憶された状態となる（図２（Ｃ）参照）。続けて、ＣＰＵ２２は、処理対象の通信番号に対応付けて送信履歴用メモリに記憶された、端末ＩＤと相手先情報と送信結果を通信管理用メモリに書き込む（Ｓ１１６）。例えば、通信管理用メモリに何れの情報も記憶されておらず、送信履歴用メモリが図２（Ｃ）の状態であった場合、ＣＰＵ２２は、通信番号「１」に対応付けて「ＩＤ１」と「０５２−１１１−２２２２」と「ＯＫ」を通信管理用メモリに書き込む（図３（Ａ）参照）。通信管理用メモリに１以上のレコードが記憶されていた場合、通信番号は、最終レコードの通信番号の次の番号（例えば、通信管理用メモリが図３（Ａ）の状態であった場合、通信番号「１」の次の「２」）とされる。
【００３６】
次に、ＣＰＵ２２は、送信履歴用メモリで処理対象の通信番号に対応付けられた送信データ用保存場所に従い、この保存場所に記憶された送信データを送信データ用メモリから削除する（Ｓ１１８）。続けて、ＣＰＵ２２は、処理対象の通信番号に対応付けられた各情報を送信履歴用メモリから削除する（Ｓ１２０）。Ｓ１２０でＣＰＵ２２は、処理対象の通信番号についても送信履歴用メモリから削除する。送信履歴用メモリに記憶されたレコードが１つである場合（図２（Ｃ）及び（Ｄ）参照）、送信履歴用メモリは、何れの情報も記憶されていない状態（未登録状態）となる。Ｓ１２０を実行した後、ＣＰＵ２２は、通信装置処理を終了する。
【００３７】
説明をＳ１１２に戻し、ファクシミリ送信が失敗した場合（Ｓ１１２：Ｎｏ）、ＣＰＵ２２は、処理を図５のＳ１２２に移行し、再送フラグが「ＯＮ」であるか否かを判断する。再送フラグは、送信履歴用メモリに記憶された処理対象の通信番号に対応付けられた各情報に従ったファクシミリ送信を繰り返して実行するか否かを示す情報であり、初期値は、「ＯＦＦ」である。再送フラグ「ＯＮ」は再実行を示す。再送フラグは、後述する図５のＳ１３０で設定される。ＣＰＵ２２は、Ｓ１２２の移行に際し、表示部３２に通信エラー画面を表示する制御を行う。通信エラー画面は、例えば、「通信エラー  再度送信操作を行って下さい」との情報を含む。この制御によって、表示部３２には、通信エラー画面が表示される。操作対象の利用者は、表示部３２に表示された通信エラー画面を確認することができる。操作対象の利用者は、携帯端末装置５０を通信装置２０（近距離通信部３８）にかざすといった、Ｓ１００が肯定（Ｓ１００：Ｙｅｓ）される要因となった操作を行った利用者である。
【００３８】
再送フラグが「ＯＮ」である場合（Ｓ１２２：Ｙｅｓ）、ＣＰＵ２２は、処理をＳ１２６に移行する。再送フラグが「ＯＮ」ではない場合（Ｓ１２２：Ｎｏ）、ＣＰＵ２２は、処理対象の通信番号に対応付けて送信結果「ＮＧ」を送信履歴用メモリに書き込む（Ｓ１２４）。これによって、送信履歴用メモリは、通信番号と、端末ＩＤと、相手先情報と、送信データ保存場所と、送信結果が対応付けて記憶された状態となる（図２（Ｄ）参照）。Ｓ１２４を実行した後、ＣＰＵ２２は、処理をＳ１２６に移行する。
【００３９】
Ｓ１２６でＣＰＵ２２は、ファクシミリ送信の失敗から保存時間が経過しているか否かを判断する。保存時間は、失敗したファクシミリ送信の再送を受け付ける時間として、諸条件を考慮し、適宜設定される。保存時間は、例えば、予め定めた数分程度の時間とされる。保存時間が経過している場合（Ｓ１２６：Ｙｅｓ）、ＣＰＵ２２は、処理を図４のＳ１１６に戻し、Ｓ１１６以降の処理を実行する。この場合、Ｓ１１６では、図２（Ｄ）に基づき、通信管理用メモリに書き込まれる送信結果は「ＮＧ」とされる。
【００４０】
保存時間が経過していない場合（Ｓ１２６：Ｎｏ）、ＣＰＵ２２は、再送指示を取得したか否かを判断する（Ｓ１２８）。再送指示は、図４のＳ１１０で開始されたファクシミリ送信の再送信を指示するための指令である。再送指示は、図６のＳ２１４で携帯端末装置５０からＮＦＣによって送信される。通信装置２０では、携帯端末装置５０から送信された再送指示が近距離通信部３８で受信される。ＣＰＵ２２は、近距離通信部３８を介して再送指示を取得する。
【００４１】
再送指示を取得していない場合（Ｓ１２８：Ｎｏ）、ＣＰＵ２２は、処理をＳ１２６に戻し、Ｓ１２６を実行する。再送指示を取得した場合（Ｓ１２８：Ｙｅｓ）、ＣＰＵ２２は、再送フラグに「ＯＮ」を設定する（Ｓ１３０）。その後、ＣＰＵ２２は、処理を図４のＳ１１０に戻し、Ｓ１１０以降の処理を実行する。この場合、Ｓ１１０では、送信履歴用メモリで処理対象の通信番号に対応付けられた相手先情報（図２（Ｄ）に基づけば「０５２−１１１−２２２２」参照）に従い、同じく処理対象の通信番号に対応付けられた送信データ保存場所（図２（Ｄ）に基づけば「番地１」参照）に記憶された送信データ（図３（Ｂ）に基づけば「通信Ｎｏ．１用データ」参照）のファクシミリ送信が開始される。即ち、今回のＳ１１０では、前回のＳ１１０で失敗したファクシミリ送信が再送信される。
【００４２】
＜携帯端末処理＞
携帯端末装置５０で実行される携帯端末処理について、図６を参照して説明する。携帯端末処理は、携帯端末装置５０の利用者（操作対象の利用者）が操作部６０を操作し、携帯端末処理のためのコンピュータプログラムを起動させる実行指示を入力した場合に開始される。実行指示の入力に伴い、ＣＰＵ５２は、表示部５８に、タッチパネル機能を利用した操作部６０を含む送信操作画面を表示する制御を行う。この制御によって、表示部５８には、図７（Ａ）に示すような送信操作画面（但し、「０５２−１１１−２２２２」を例とする相手先情報は非表示）が表示される。操作部６０の「再送」ボタンは、押下できない状態（図７（Ａ）で「再送」の部分における網点は、この状態を示す）とされる。また、操作対象の利用者は、例えば、実行指示の入力後に、送信データの宛先となる相手先情報と、送信データを指定する操作を行う。相手先情報の入力に伴い、送信操作画面には、入力された相手先情報が表示される（図７（Ａ）参照）。ＣＰＵ５２は、この操作に従い、相手先情報と送信データを特定する。その後、操作対象の利用者は、「送信」ボタンを押下する。操作対象の利用者は、「送信」ボタンの押下前又は押下後の所定のタイミングで、携帯端末装置５０を通信装置２０にかざす。
【００４３】
携帯端末処理を開始したＣＰＵ５２は、通信装置２０との間でＮＦＣが確立されたか否かを判断する（Ｓ２００）。ＮＦＣの確立において、近距離通信部６４から通信装置２０に、図４のＳ１００に関連して説明した接続要求が送信される。そして、ＣＰＵ５２は、ＮＦＣにおけるペアリングを実行し、通信装置２０との間でＮＦＣを確立する。携帯端末装置５０が通信装置２０にかざされていない等の理由でＮＦＣが確立されない場合（Ｓ２００：Ｎｏ）、ＣＰＵ５２は、Ｓ２００を繰り返して実行する。ＮＦＣが確立された場合（Ｓ２００：Ｙｅｓ）、ＣＰＵ５２は、近距離通信部６４から通信装置２０に自装置の端末ＩＤと相手先情報を送信する制御を行う（Ｓ２０２）。この制御により、端末ＩＤと相手先情報がＮＦＣによって近距離通信部６４から通信装置２０に送信される。ＣＰＵ５２は、ＮＦＣが確立された場合（Ｓ２００：Ｙｅｓ）等、所定のタイミングで、操作部６０の「再送」ボタンを押下可能な状態（図７（Ｂ）参照）とする。
【００４４】
続けて、ＣＰＵ５２は、Ｗｉ−Ｆｉハンドオーバーに従い、通信装置２０との間で無線ＬＡＮ通信を確立するための処理を制御する。そして、ＣＰＵ５２は、通信装置２０との間で無線ＬＡＮ通信が確立されたか否かを判断する（Ｓ２０４）。例えば、無線ＬＡＮ通信を確立するための処理が実行途中で、無線ＬＡＮ通信が確立されていない場合（Ｓ２０４：Ｎｏ）、ＣＰＵ５２は、前述した処理を継続して制御する。無線ＬＡＮ通信が確立された場合（Ｓ２０４：Ｙｅｓ）、ＣＰＵ５２は、無線ＬＡＮ通信部６６から通信装置２０に、相手先情報と共に特定された送信データを送信する制御を行う（Ｓ２０６）。この制御により、送信データが無線ＬＡＮ通信によって無線ＬＡＮ通信部６６から通信装置２０に送信される。
【００４５】
Ｓ２０６を実行した後、ＣＰＵ５２は、無線ＬＡＮ通信による送信データの送信が完了したタイミングから一定時間が経過しているか否かを判断する（Ｓ２０８）。判断条件となる一定時間は、諸条件を考慮し、適宜設定される。例えば、一定時間は、上述した保存時間（図５のＳ１２６参照）に対応した時間とされる。一定時間が経過している場合（Ｓ２０８：Ｙｅｓ）、ＣＰＵ５２は、携帯端末処理を終了する。一定時間が経過していない場合（Ｓ２０８：Ｎｏ）、ＣＰＵ５２は、操作対象の利用者がタッチパネル機能を利用した操作部６０の「再送」ボタンを押下したか否かを判断する（Ｓ２１０）。ＣＰＵ５２は、送信操作画面における操作部６０の「再送」ボタン（図７（Ｂ）参照）の押下の有無に従い、Ｓ２１０を判断する。操作対象の利用者は、図４のＳ１１０で開始されたファクシミリ送信が失敗（図４のＳ１１２：Ｎｏ参照）した際に表示部３２に表示された通信エラー画面に応じて失敗したファクシミリ送信を再送信する場合、「再送」ボタンを押下する。
【００４６】
「再送」ボタンが押下されていない場合（Ｓ２１０：Ｎｏ）、ＣＰＵ５２は、処理をＳ２０８に戻し、Ｓ２０８を実行する。「再送」ボタンが押下された場合（Ｓ２１０：Ｙｅｓ）、ＣＰＵ５２は、通信装置２０との間でＮＦＣを確立するための処理を制御し、ＮＦＣが確立されたか否かを判断する（Ｓ２１２）。ＮＦＣが確立されない場合（Ｓ２１２：Ｎｏ）、ＣＰＵ５２は、処理をＳ２０８に戻し、Ｓ２０８以降の処理を実行する。ＮＦＣを確立させるためには、「再送」ボタンの押下前又は押下後の所定のタイミングで、携帯端末装置５０が通信装置２０にかざされなければならない。即ち、携帯端末装置５０と通信装置２０をＮＦＣが可能な距離に接近した状態とする必要がある。通信装置２０への携帯端末装置５０のかざし方が不適切であった場合、又は、携帯端末装置５０が通信装置２０にかざされなかった場合、ＮＦＣは確立されない。
【００４７】
ＮＦＣが確立された場合（Ｓ２１２：Ｙｅｓ）、ＣＰＵ５２は、近距離通信部６４から通信装置２０に再送指示を送信する制御を行う（Ｓ２１４）。この制御により、再送指示がＮＦＣによって近距離通信部６４から通信装置２０に送信される。Ｓ２１４を実行した後、ＣＰＵ５２は、処理をＳ２０８に戻し、Ｓ２０８以降の処理を実行する。
【００４８】
＜本実施形態の効果＞
本実施形態によれば、次のような効果を得ることができる。
【００４９】
（１）通信装置２０では、携帯端末装置５０からの要求に基づき図４のＳ１１０で開始されたファクシミリ送信が成功した場合（図４のＳ１１２：Ｙｅｓ参照）、成功したファクシミリ送信のための通信番号（処理対象の通信番号）と、処理対象の通信番号に対応付けられた相手先情報を含む各情報を、送信履歴用メモリから削除する（図４のＳ１２０参照）こととした。図４のＳ１１０で開始されたファクシミリ送信が失敗した場合（図４のＳ１１２：Ｎｏ参照）、処理対象の通信番号と、処理対象の通信番号に対応付けられた相手先情報を含む各情報を、直ちに、送信履歴用メモリから削除するといった制御は実行されないこととした。そのため、ファクシミリ送信が成功した場合、成功したファクシミリ送信の相手先情報を含む各情報が他人に取得又は利用されることを防止することができる。成功したファクシミリ送信の相手先情報を含む各情報に対するセキュリティを確保することができる。ファクシミリ送信が失敗した場合、相手先情報を含む各情報を送信履歴用メモリに記憶させたままの状態とすることができる。
【００５０】
図４のＳ１１０で開始されたファクシミリ送信が失敗し（図４のＳ１１２：Ｎｏ参照）、ファクシミリ送信の失敗から保存時間が経過している場合（図５のＳ１２６：Ｙｅｓ参照）、処理対象の通信番号に対応付けられた相手先情報を含む各情報を、送信履歴用メモリから削除する（図４のＳ１２０参照）こととした。そのため、ファクシミリ送信が成功した場合と同様、相手先情報を含む各情報に対するセキュリティを確保することができる。
【００５１】
処理対象の通信番号に対応付けられた相手先情報を含む各情報を送信履歴用メモリから削除するに際し、送信対象の通信番号に対応付けられた送信データ用保存場所に従い、この保存場所に記憶された送信データを送信データ用メモリから削除する（図４のＳ１１８参照）こととした。そのため、相手先情報を含む各情報と共に、送信データ用メモリに記憶された送信データについても、他人に取得又は利用されることを防止することができる。
【００５２】
（２）図４のＳ１１０で開始されたファクシミリ送信が失敗した場合（図４のＳ１１２：Ｎｏ参照）であっても、保存時間が経過していない場合（図５のＳ１２６：Ｎｏ参照）には、携帯端末装置５０から再送指示を受け付けることとし、再送指示が取得された場合（図５のＳ１２８：Ｙｅｓ参照）、送信履歴用メモリで処理対象の通信番号に対応付けて記憶された相手先情報に従い、送信データ用メモリに記憶された送信データを再度ファクシミリ送信する（図４のＳ１１０参照）こととした。そのため、保存時間内については、再送信のための操作を携帯端末装置５０と連携してスムーズに行うことができる。失敗したファクシミリ送信の再送信に関し、好適な操作性が実現された通信装置２０とすることができる。
【００５３】
＜変形例＞
本実施形態は、次のようにすることもできる。
【００５４】
（１）上記では、携帯端末装置５０がスマートフォンである場合を例に説明した。携帯端末装置５０は、上述した携帯端末処理（図６参照）を実行できるコンピュータ機能を備えた携帯型の端末装置であればよい。例えば、携帯端末装置５０は、タブレット型のデバイスであってもよい。タブレット型のデバイスとしては、タブレット端末又はタブレットＰＣと称されるコンピュータ製品が例示される。タブレット型のデバイスは、上述した携帯端末装置５０が備える各部５２〜７０のうち、回線通信部６８を備えておらず、公衆回線１２を介した通話等には対応していない場合もある。
【００５５】
（２）上記では、通信装置２０と携帯端末装置５０の間の無線通信について、ＮＦＣと無線ＬＡＮ通信を例に説明した。両装置間の無線通信は、これらとは異なる方式の無線通信によって行われるようにしてもよい。両装置間で採用される無線通信は、２種類でなくてもよい。例えば、１種類の無線通信によって行われるようにしてもよい。採用する無線通信の方式及び／又は種類数は、データ量、通信範囲及び／又は操作性等の諸条件を考慮し、適宜決定するとよい。
【００５６】
通信装置処理（図４及び図５参照）と携帯端末処理（図６参照）において、ＮＦＣによって実行することとした少なくとも一部の無線通信は、無線ＬＡＮ通信によって実行するようにしてもよい。同じく、無線ＬＡＮ通信によって実行することとした少なくとも一部の無線通信は、ＮＦＣによって実行するようにしてもよい。採用する無線通信の方式は、データ量、通信範囲及び／又は操作性等の諸条件を考慮し、適宜決定するとよい。
【符号の説明】
【００５７】
１０  通信システム
１２  公衆回線
２０  通信装置
２２  ＣＰＵ
２４  ＲＯＭ
２６  ＲＡＭ
２８  印刷部
３０  読取部
３２  表示部
３４  操作部
３６  回線通信部
３８  近距離通信部
４０  無線ＬＡＮ通信部
４２  計時部
４４  バス
５０  携帯端末装置
５２  ＣＰＵ
５４  ＲＯＭ
５６  ＲＡＭ
５８  表示部
６０  操作部
６２  カメラ部
６４  近距離通信部
６６  無線ＬＡＮ通信部
６８  回線通信部
７０  計時部
７２  バス
８０  相手先装置
【図１】
2014187664.tif 000003
【図２】
2014187664.tif 000004
【図３】
2014187664.tif 000005
【図４】
2014187664.tif 000006
【図５】
2014187664.tif 000007
【図６】
2014187664.tif 000008
【図７】
2014187664.tif 000009